(57)【特許請求の範囲】
【請求項１】
太陽電池を含み、互いに平行な第１及び第２の端面と、互いに平行な第３及び第４の端面とを有する矩形状のモジュール本体と、
前記モジュール本体を包囲するように設けられており、前記モジュール本体が挿入されている溝を有する枠体と、を備え、
前記枠体は、
前記第１の端面の外側に配された第１の枠片と、
前記第２の端面の外側に配された第２の枠片と、
前記第３の端面の外側に配された第３の枠片と、
前記第４の端面の外側に配された第４の枠片と、
前記第１〜第４の枠片のうちの隣り合う２つの枠片を接続している接続部材と、を有し、
前記第１〜第４の枠片のそれぞれは、長手方向における両端面が隣り合う他の枠片の端面と対向しており、
前記モジュール本体の一主面の上に配された第１の部分と、
前記モジュール本体の他主面の上に配されており、挿入孔が設けられた第２の部分と、
前記第１の部分と前記第２の部分とを接続しており、前記第１及び第２の部分と共に前記溝を構成している第３の部分と、を有し、
前記接続部材は、
前記第１〜第４の枠片のうちの隣り合う２つの枠片の一方の前記挿入孔に挿入されている第１の挿入部と、
前記隣り合う２つの枠片の他方の前記挿入孔に挿入されている第２の挿入部と、
前記第１の挿入部と前記第２の挿入部とを接続している接続部と、を有し、
前記接続部はフランジ部を有し、前記フランジ部は、
前記隣り合う２つの枠片のそれぞれの端面に当接しており、かつ、前記モジュール本体の前記一主面よりも他主面側に位置し、前記モジュール本体の厚み方向において、前記挿入孔の寸法よりも小さい、
太陽電池モジュール。
【請求項２】
前記フランジ部は、前記第１〜第４の枠片のうちの隣り合う２つの枠片が接続される部分から、枠片の端面と略平行な方向に突出する、請求項１に記載の太陽電池モジュール。
【発明の詳細な説明】
【技術分野】
【０００１】
本発明は、太陽電池モジュールに関する。
【背景技術】
【０００２】
特許文献１には、太陽電池を有するモジュール本体と、枠体とを有する太陽電池モジュールが記載されている。特許文献１に記載の太陽電池モジュールでは、枠体は、モジュール本体を包囲するように設けられている。枠体は、４つの線状の枠片により構成されている。枠体には、モジュール本体に向かって開口する溝が設けられている。その溝にモジュール本体が挿入されている。枠体は、モジュール本体の受光面側の主面上に設けられた部分を有する。枠体のモジュール本体の受光面側の主面上に設けられた部分には水抜き用の切欠が設けられている。このため、モジュール本体の受光面側の主面上の水が効率的に排出される。
【先行技術文献】
【特許文献】
【０００３】
【特許文献１】実開平６−１７２５７号公報
【発明の概要】
【発明が解決しようとする課題】
【０００４】
特許文献１に記載の太陽電池モジュールには、製造が困難であるという問題がある。
【０００５】
本発明は、製造容易な太陽電池モジュールを提供することを主な目的とする。
【課題を解決するための手段】
【０００６】
本発明に係る太陽電池モジュールは、モジュール本体と、枠体とを備える。モジュール本体は、太陽電池を含む。モジュール本体は、互いに平行な第１及び第２の端面と、互いに平行な第３及び第４の端面とを有する。枠体は、モジュール本体を包囲するように設けられている。枠体は、溝を有する。溝には、モジュール本体が挿入されている。枠体は、第１〜第４の枠片と接続部材を有する。第１の枠片は、第１の端面の外側に配されている。第２の枠片は、第２の端面の外側に配されている。第３の枠片は、第３の端面の外側に配されている。第４の枠片は、第４の端面の外側に配されている。接続部材は、第１〜第４の枠片のうちの隣り合う２つの枠片を接続している。第１〜第４の枠片のそれぞれは、第１の部分と、第２の部分と、第３の部分とを有する。第１の部分は、モジュール本体の一主面の上に配されている。第２の部分は、モジュール本体の他主面の上に配されている。第２の部分には、挿入孔が設けられている。第３の部分は、第１の部分と第２の部分とを接続している。第３の部分は、第１及び第２の部分と共に溝を構成している。接続部材は、第１の挿入部と、第２の挿入部と、接続部とを有する。第１の挿入部は、第１〜第４の枠片のうちの隣り合う２つの枠片の一方の挿入孔に挿入されている。第２の挿入部は、隣り合う２つの枠片の他方の挿入孔に挿入されている。接続部は、第１の挿入部と第２の挿入部とを接続している。接続部は、フランジ部を有する。フランジ部は、隣り合う２つの枠片のそれぞれの端面に当接している。フランジ部は、モジュール本体の一主面よりも他主面側に位置する。
【発明の効果】
【０００７】
本発明によれば、製造容易な太陽電池モジュールを提供することができる。
【図面の簡単な説明】
【０００８】
【図１】本発明の一実施形態に係る太陽電池モジュールの略図的平面図である。
【図２】図１のＩＩ部分の略図的平面図である。
【図３】図２の矢印ＩＩＩの方向から視た略図的側面図である。
【図４】図２の矢印ＩＶの方向から視た略図的側面図である。
【図５】図２の線Ｖ−Ｖにおける略図的断面図である。
【図６】図２の線ＶＩ−ＶＩにおける略図的断面図である。
【図７】図２の線ＶＩＩ−ＶＩＩにおける略図的断面図である。
【図８】本発明の一実施形態における枠体の模式的分解斜視図である。
【発明を実施するための形態】
【０００９】
以下、本発明を実施した好ましい形態の一例について説明する。但し、下記の実施形態は、単なる例示である。本発明は、下記の実施形態に何ら限定されない。
【００１０】
また、実施形態等において参照する各図面において、実質的に同一の機能を有する部材は同一の符号で参照することとする。また、実施形態等において参照する図面は、模式的に記載されたものであり、図面に描画された物体の寸法の比率などは、現実の物体の寸法の比率などとは異なる場合がある。図面相互間においても、物体の寸法比率等が異なる場合がある。具体的な物体の寸法比率等は、以下の説明を参酌して判断されるべきである。
【００１１】
（第１の実施形態）
図１及び図２に示されるように、太陽電池モジュール１は、モジュール本体１０と、枠体２０とを備えている。モジュール本体１０は、少なくともひとつの太陽電池１１を含む。具体的には、モジュール本体１０は、図示しない配線材により電気的に接続された複数の太陽電池１１を含む。太陽電池１１は、第１の保護部材と第２の保護部材との間に設けられた充填材層中に配されている。第１及び第２の保護部材は、それぞれ、ガラス板、樹脂シート、金属層が設けられた樹脂シート等によって構成することができる。
【００１２】
モジュール本体１０は、矩形状である。モジュール本体１０は、互いに平行な第１及び第２の端面１０ａ、１０ｂと、互いに平行な第３及び第４の端面１０ｃ、１０ｄとを有する。
【００１３】
枠体２０は、モジュール本体１０を包囲するように額縁状に設けられている。枠体２０は、モジュール本体１０の端縁部が挿入されている溝２０ａを有する。
【００１４】
溝２０ａ内には、枠体２０とモジュール本体１０とを接着している接着材が設けられていてもよい。接着材は、止水材としての機能を兼ね備えていてもよい。接着材は、例えば、シリコーン樹脂、シリコンゴム、ブチルゴム、粘着剤、接着材、粘着テープ、接着テープ等により構成することができる。
【００１５】
枠体２０は、第１の枠片２１と、第２の枠片２２と、第３の枠片２３と、第４の枠片２４と、４つの接続部材２５とを有する。
【００１６】
第１の枠片２１は、第１の端面１０ａの外側に配されている。第１の枠片２１の両端面は、それぞれ、第１の枠片２１の延びる方向に対して傾斜した方向に延びている。
【００１７】
第２の枠片２２は、第２の端面１０ｂの外側に配されている。第２の枠片２２の両端面は、それぞれ、第２の枠片２２の延びる方向に対して傾斜した方向に延びている。
【００１８】
第３の枠片２３は、第３の端面１０ｃの外側に配されている。第３の枠片２３の両端面は、それぞれ、第３の枠片２３の延びる方向に対して傾斜した方向に延びている。第３の枠片２３の一方の端面は、第１の枠片２１の一方の端面と対向している。第３の枠片２３の他方の端面は、第２の枠片２２の一方の端面と対向している。
【００１９】
第４の枠片２４は、第４の端面１０ｄの外側に配されている。第４の枠片２４の両端面は、それぞれ、第４の枠片２４の延びる方向に対して傾斜した方向に延びている。第４の枠片２４の一方の端面は、第１の枠片２１の他方の端面と対向している。第４の枠片２４の他方の端面は、第２の枠片２２の他方の端面と対向している。
【００２０】
図５に示されるように、第１〜第４の枠片２１〜２４のそれぞれは、第１の部分２０Ａと、第２の部分２０Ｂと、第３の部分２０Ｃとを有する。第１の部分２０Ａは、モジュール本体１０の受光面側の主面１０Ａの端縁部の上に配されている。第２の部分２０Ｂは、モジュール本体１０の裏面側の主面１０Ｂの端縁部の上に配されている。第２の部分２０Ｂには、挿入孔２０Ｂ１が設けられている。第３の部分２０Ｃは、第１の部分２０Ａと第２の部分２０Ｂとを接続している。これら第１〜第３の部分２０Ａ，２０Ｂ，２０Ｃによって溝２０ａが構成されている。
【００２１】
接続部材２５は、第１〜第４の枠片２１〜２４のうちの隣り合う２つの枠体を接続している。具体的には、枠体２０は、第１の枠片２１と第３の枠片２３とを接続している接続部材２５と、第１の枠片２１と第４の枠片２４とを接続している接続部材２５と、第２の枠片２２と第３の枠片２３とを接続している接続部材２５と、第２の枠片２２と第４の枠片２４とを接続している接続部材２５とを有する。
【００２２】
図８に示されるように、接続部材２５は、略Ｌ字状に設けられている。接続部材２５は、第１の挿入部２５ａと、第２の挿入部２５ｂと、接続部２５ｃとを有する。
【００２３】
第１の挿入部２５ａは、第１〜第４の枠片２１〜２４のうちの隣り合う２つの枠片の一方の挿入孔２０Ｂ１に挿入されており、第２の挿入部２５ｂは、第１〜第４の枠片２１〜２４のうちの隣り合う２つの枠片の他方の挿入孔２０Ｂ１に挿入されている。第１及び第２の挿入部２５ａ、２５ｂは、挿入孔２０Ｂ１に挿入されたあと、容易に離脱しないように構成することが好ましい。例えば、第１及び第２の挿入部２５ａ、２５ｂと挿入孔２０Ｂ１とが接触する面に凹凸を設けることにより、挿入後の互いの摩擦力を高めて容易に離脱しないように構成することができる。また、第１及び第２の挿入部２５ａ、２５ｂが挿入孔２０Ｂ１の幅より広い領域を有する構成とすることにより、第１及び第２の挿入部２５ａ、２５ｂが挿入孔２０Ｂ１から受ける圧力を高めて容易に離脱しないように構成することができる。第１及び第２の挿入部２５ａ、２５ｂのモジュール本体１０の厚み方向における寸法は、挿入孔２０Ｂ１のモジュール本体１０の厚み方向における寸法よりも小さい。このため、図５及び図７に示されるように、挿入孔２０Ｂ１には、第１または第２の挿入部２５ａ、２５ｂが位置していない部分が存する。具体的には、挿入孔２０Ｂ１の上部と下部との両方に、第１または第２の挿入部２５ａ、２５ｂが位置していない部分２０Ｂ１１，２０Ｂ１２が存する。
【００２４】
接続部２５ｃは、第１の挿入部２５ａと第２の挿入部２５ｂとを接続している。接続部２５ｃは、フランジ部２５ｃ１を有する。フランジ部２５ｃ１は、隣り合う２つの枠片２１〜２４のそれぞれの端面に当接している。具体的には、フランジ部２５ｃ１は、第１及び第２の挿入部２５ａ、２５ｂが接続される部分から、第２の枠片２２、第４の枠片２４の延びる方向の端面と略平行な方向に突出しており、第１の挿入部２５ａおよび第２の挿入部２５ｂの延びる方向と略１３５度の関係となるように設けられている。フランジ部２５ｃ１は、モジュール本体１０の主面１０Ａよりも主面１０Ｂ側（裏面側）に位置している。フランジ部２５ｃ１の主面１０Ａ側の表面は、第１の部分２０Ａよりも主面１０Ｂ側に位置している。このため、図３及び図４に示されるように、隣り合う枠片２１〜２４の間には、溝２６が形成されている。
【００２５】
太陽電池モジュール１では、フランジ部２５ｃ１によって隣り合う枠片２１〜２４の間に溝２６が形成される。この溝２６を経由して主面１０Ａ上の水が効率的に排出される。
【００２６】
特に、太陽電池モジュール１では、フランジ部２５ｃ１のモジュール本体１０の厚み方向における寸法は、挿入孔２０Ｂ１のモジュール本体１０の厚み方向における寸法よりも小さい。このため、溝２６の底面は、挿入孔２０Ｂ１よりも上方に位置するモジュール本体１０の主面１０Ａよりも下方に位置している。従って、溝２６を経由しての主面１０Ａ上の水の排出効率がさらに高められている。
【００２７】
また、太陽電池モジュール１では、第１及び第２の挿入部２５ａ、２５ｂのモジュール本体１０の厚み方向における寸法は、挿入孔２０Ｂ１のモジュール本体１０の厚み方向における寸法よりも小さい。このため、挿入孔２０Ｂ１には、第１または第２の挿入部２５ａ、２５ｂが位置していない部分２０Ｂ１１，２０Ｂ１２が存する。従って、挿入孔２０Ｂ１内に浸入した水の挿入孔２０Ｂ１からの排出も効率的に行われる。
【００２８】
ところで、接続部材にフランジ部が設けられていない場合は、隣り合う枠片の位置決めが困難となる。隣り合う枠片の端面が正確に当接していない場合は、美観上の問題が生じるため、枠片の位置の調整を再度行う必要がある。
【００２９】
それに対して太陽電池モジュール１では、フランジ部２５ｃ１が設けられており、このフランジ部２５ｃ１に枠片２１〜２４の端面が当接している。このため、枠片２１〜２４の位置決めを確実かつ容易に行うことができる。従って、太陽電池モジュール１は、製造が容易である。
【００３０】
また、フランジ部２５ｃ１によって隣り合う枠片２１〜２４の間に溝２６が形成される構成とすることで、枠片２１〜２４に溝を設けるための加工を施す必要が必ずしもなくなる。フランジ部２５ｃ１を有する接続部材２５は、枠片２１〜２４の端面が当接する４か所の接続部において共通のものを使用することができる。このため、枠片２１〜２４および接続部材２５の製造コストを低減することができる。従って、太陽電池モジュール１は、製造が容易である。
【００３１】
以上のように、太陽電池モジュール１は、主面１０Ａ上の水、及び挿入孔２０Ｂ１内に浸入した水が効率的に排出されるものであり、かつ、製造が容易なものである。
【符号の説明】
【００３２】
１…太陽電池モジュール
１０…モジュール本体
１０Ａ、１０Ｂ…主面
１０ａ…第１の端面
１０ｂ…第２の端面
１０ｃ…第３の端面
１０ｄ…第４の端面
１１…太陽電池
２０…枠体
２０Ａ…第１の部分
２０Ｂ…第２の部分
２０Ｂ１…挿入孔
２０Ｃ…第３の部分
２０ａ…溝
２１…第１の枠片
２２…第２の枠片
２３…第３の枠片
２４…第４の枠片
２５…接続部材
２５ａ…第１の挿入部
２５ｂ…第２の挿入部
２５ｃ…接続部
２５ｃ１…フランジ部
【図１】
0005884028.tif 000002
【図２】
0005884028.tif 000003
【図３】
0005884028.tif 000004
【図４】
0005884028.tif 000005
【図５】
0005884028.tif 000006
【図６】
0005884028.tif 000007
【図７】
0005884028.tif 000008
【図８】
0005884028.tif 000009